Podtech/llm-jp-corpus-v4-ja_patent huggingface dataset:
(57)【要約】【課題】要求に応じて、必要な限度内の個人情報を記載したカードを貼着密封して、外出目的に適応させ、併せて紛失時、再調製を容易にする。【解決手段】必要な粘着剤を塗布した透明フィルムに簡易アイディーカードを貼付し、その上下面を透明フィルムでカバーして密着する。【選択図】図１
0003104497.tif 000002
【実用新案登録請求の範囲】
【請求項１】
名刺大のカードの片面に本人の写真が印刷され、他の片面に身元確認情報が記載されたカード本体と、該本体の両面を被覆し、剥離不能に強接着する２枚の透明被覆材であって、該両被覆材面が上下重合する部分の一辺は予め相互に接着結合され、該結合辺の一部にぬき穴を設けてなる簡易アイディーカード。
【考案の詳細な説明】
【技術分野】
【０００１】  本考案は、簡易身元確認カードに関する。更に詳しくは、表面に顔写真が印刷され、裏面に身元情報が記載されたカードであって、その両面を透明フィルムで被覆して接着し、接着後の一辺の被覆フィルムの部分にぬき穴を設けてなる簡易アイディーカードに関する。
【背景技術】
【０００２】  名刺大の粘着剤付き台片の一辺に、ほぼ同サイズの透明被覆片を結合し、該台片の中心部に名刺等を貼着した後、該台片と該透明被覆片の結合辺以外の他の三辺を該台片のまわりに結合して、名刺等のいわゆるパウチ処理に代える方法に使用するラミネート用具は公知である。【０００３】  しかし、このラミネート用具は、通常個人の所有に係るものではない上に、名刺等の貼り替えは考慮されていないので、ラミネートされるべき名刺等の個人情報毎にパウチ処理業者に依頼する必要があり、不便であった。
【実用新案文献】
実登第３０４６１９５号公報
【考案の開示】
【考案が解決しようとする課題】
【０００４】  解決しようとする問題点は、パウチ処理を必要とする個人情報カードであっても、処理機なしではその処理ができない点である。
【課題を解決するための手段】
【０００５】  本考案は、個人情報カードの両面被覆をパウチ処理機なしで可能とするため、２枚の透明フィルムの各内面に接着剤が塗布され、個人的にパウチ処理と同様な両面被覆できることを最も重要な特徴とする。
【考案の効果】
【０００６】  本考案は、名刺や診察券、定期券のようなパウチ処理とは無縁のものを対象とせず、また、被貼付物であるカード自体に貼着力のないものでも貼着でき、かつ、財布、定期券等とは別に収納することにより、同時に紛失するおそれのない被覆された個人情報カードであり、個人情報カードの携行ならびに使用の便宜と安全性を高めるという利点がある。
【考案を実施するための最良の形態】
【０００７】  個人情報のカード毎に個人的に被覆するという目的を最も簡易な構成で実現した。
【実施例１】
【０００８】    図１，２は、夫々本考案の簡易アイディーカードと上下の被覆片を示す平面姿図である。また、図３は、本考案に係る簡易アイディーカードを被覆材の片面に貼着した状態を示す平面図であり、図４は、同じく側面図である。
本考案に係る図１〜４において、１，２は印刷紙、３，４は夫々上面および下面被覆用透明フィルム、５は３および４の重合部、６はぬき穴、７はボールチェーンである。【０００９】  印刷紙１，２は、板紙、プラスチック片、金属薄板等で製造でき、柔軟性は必須ではない。
透明フィルム３，４は、簡易アイディーカードの貼着操作のため、例えば、軟質プラスチックシートまたはフィルムのように柔軟性と耐久性を有し、汎用の接着剤に被接着性を示すもの、例えば塩化ビニール樹脂またはポリエチレン樹脂、ポリプロピレン樹脂若しくはポリアクリル樹脂等が適当である。夫々その内側に接着剤を塗布する。【００１０】  上面と下面の透明フィルム３，４の重合される一辺である透明フィルム重合部５は、好ましくは接着より、残部の接着密封前は開閉自在となるように結合される。【００１１】  不使用中の前記接着剤塗布部には簡易アイディーカード貼着前離型紙（図示せず）が挿入される。本考案に係る簡易アイディーカードの本体である印刷紙（１，２）は、前記離型紙を除去した後圧着され、該印刷紙が圧着された後、両透明フィルム３，４は対応部分で接着される。【００１２】  本考案において、簡易アイディーカードとは、身元確認カード（注．図１，２に例示）であって、非常の際または公的提示要求のあった際に即時提示できるものである。
【産業上の利用可能性】
【００１３】  本考案の簡易アイディーカードは、以上のように構成されているので、外出時には、付属のボールチェーンを使用して首からかけ、服のポケットまたはハンドバッグ等に収納して携行容易であり、他の所持品とは区別されているので、同時に紛失することがない。また、仮に紛失しても、本券でない場合には容易に再調製でき、該カードは顔写真つきであるので、拾得者に悪用されることを予防できる。
【図面の簡単な説明】
【００１４】
【図１】簡易アイディーカードの平面姿図（表面）である。（実施例１）
【図２】簡易アイディーカードの平面姿図（裏面）である。（実施例１）
【図３】簡易アイディーカードの平面図である。（実施例１）
【図４】簡易アイディーカードの側面図である。（実施例１）
【符号の説明】
【００１５】１    印刷紙（表面）
２    印刷紙（裏面）
３    透明フィルム（表面，粘着のりつき）
４    透明フィルム（裏面，粘着のりつき）
５    透明フィルム重合部
６    ぬき穴
７    ボールチェーン
Ａ    表面
Ｂ    裏面
【図１】
0003104497.tif 000003
【図２】
0003104497.tif 000004
【図３】
0003104497.tif 000005
【図４】
0003104497.tif 000006
(57)【要約】【課題】  容器等内にある軟質固形潤滑剤等が沈降する事なく常に容器等内の水等と混り合い  又、長期間停止後も沈降した軟質固形潤滑剤等が効率的かつ簡単に混ざり合う容器等内攪拌装置を提供する。【解決手段】  容器等内に主軸の配管をして、主軸の配管から複数のスクリューの様な枝が出た配管にエアー等を送り込むことにより容器等内で水流を起こしながら、主軸の配管に設けた調整用のバルブを操作することにより水流の強弱を容易に変えられる容器等内攪拌装置を提供する。【選択図】図２
0003104475.tif 000002
【実用新案登録請求の範囲】
【請求項１】
容器等内に主軸の配管をして、主軸の配管からスクリューのような枝わかれした管を複数出しエアー等を送り込む事により水流等を起こすことを特徴とする容器等内攪拌装置。
【請求項２】
主軸の配管に調整用のバルブを設けることにより水流等の強弱が容易に切り替えられるのが特徴とする請求項１に記載の容器等内攪拌装置。
【考案の詳細な説明】
【技術分野】
【０００１】  本考案は容器等内にある攪拌装置に関し、特に沈降し易く又，長期間停止後は下に固り易い特性の軟質固形潤滑剤等と水等を常に簡単に混ぜ合わせることが出来る様にした容器等内攪拌装置に関するものである。
【背景技術】
【０００２】  従来、軟質固形潤滑剤等は大型モーター等による回転かき混ぜが主流であった、大型モーター等を使用すると、装置の大型化及び現代の様な低コスト時代に反してコストの掛かりすぎ又、長期間停止後は沈降した潤滑剤等を廃棄物として手作業で取り除くようにしていた。
【考案の開示】
【考案が解決しようとする課題】
【０００３】  上記従来の攪拌機では、モーターによる大型化し、コストのかかりすぎ、及び定置化、タンク内の清掃に問題があった。  本考案は、上記従来の問題にいどみ、低コスト及びコンパクト化による移動可能、かつメンテナンス不要の容器等内攪拌装置を提供することを目的とする。
【課題を解決するための手段】
【０００４】  本考案の容器等内攪拌装置は容器等内に主軸の配管をして、主軸の配管から複数のスクリューの様な枝配管を設け、配管内にエアー等を送り込むことにより容器等内で水流を起こすことが出来るのが特徴の容器等内攪拌装置である。【０００５】  上記の容器等内攪拌装置に調整用バルブ等を設けることにより水流の強弱を可能とする容器内攪拌装置である。
【考案の効果】
【０００６】  本考案の容器等内攪拌装置によれば沈降して固まると言う特性を持っている軟質固形潤滑剤等を水流の強弱を行うことにより何度でも容易に攪拌可能とした。【０００７】  本考案の配管にエアー又は用途に応じて送り込むものを変えれば汎用性が様々であり、本考案の容器等内攪拌装置は、低コストかつコンパクトで移動が可能なうえ設置場所を限定せず廃棄物を出さないクリーンな装置である。
【考案を実施するための最良の形態】
【０００８】  以下、本考案の容器等内攪拌装置の、一実施形態を図面に基づいて説明する。【０００９】  図１〜図４に、本考案の容器内等攪拌装置の一実施例を示す。図１は長期間停止状態を、図２はエアーを利用したエアーバルブＢの流量を大、図３はエアーを利用したエアーバルブＢの流量を小の状態をそれぞれ示す。【００１０】  図１の長期間停止状態では、タンク３内底に軟質固形潤滑剤Ａが沈降して固り、水Ｗは上部に分離している状態である。そこで外部供給配管４で送り込まれたエアーをエアーバルブＢで流量を大にすることにより配管軸５を通り図２の  １と２  のスクリュウのような複数の枝配管をエアーが高圧でとおりタンク内で水流を造る事により沈降している軟質固形潤滑剤Ａが混り合い軟質固形潤滑剤Ａと水Ｗの混合液Ａ＋Ｗになる。【００１１】  上記の状態でエアーの流量をエアーバルブＢを小にすることにより、図３の配管１と２から出されるエアーがバブルＣ状態になり少量のエアー量で運転が出来る。
【図面の簡単な説明】
【００１２】
【図１】本考案の容器等内攪拌装置の、一実施例を示し、長期間停止状態を示す断面図である。
【図２】エアーバルブの流量を大にした状態を示す断面図である。
【図３】エアーバルブの流量を小にして、運転に入った状態を示した断面図である。
【図４】図２を矢視Ｉ−Ｉから見た断面図である。
【符号の説明】
【００１３】Ｂ  エアーバルブ（配管バルブ）
Ａ  沈降している軟質固形潤滑剤等
Ａ＋Ｗ  軟質固形潤滑剤と水の混合液
Ｃ  バブル（配管内から出される泡）
Ｗ  水
１  スクリューの様な複数枝配管下の段
２  スクリューの様な複数枝配管上の段
３  円形タンク
４  外部供給配管
５  配管の軸
６  タンク内エアー抜き
【図１】
0003104475.tif 000003
【図２】
0003104475.tif 000004
【図３】
0003104475.tif 000005
【図４】
0003104475.tif 000006
(57)【要約】      （修正有）【課題】従来の消波ブロック被覆防波堤や消波ブロック被覆護岸では、消波ブロックをケーソンや護岸壁の前面の基礎捨石の上に乱積み又は２層までの層積みしており、Ｌ型の水平部や水平版の上に幾層にも層積みすることは困難であった。又護岸前面で乱積みされた消波ブロックは美観を損ねていた。【解決手段】本考案では、層積みできる新しいブロックに安定を増すため下部にゴムマットを張り付けてＬ型ブロック水平部又は水平版上に幾層にも層積みできるものとした。これにより、消波ブロックとＬ型ブロック又は水平版とは一体となって、防波堤又は護岸として機能し、安価で美観に優れた消波ブロック被覆防波堤又は消波ブロック被覆護岸とすることができる。【選択図】図１
0003104474.tif 000002
【実用新案登録請求の範囲】
【請求項１】
Ｌ型ブロックの水平部又は水平版の上にブロックを層状に積み上げるため、ブロックの下部にゴムマットを張り付けて安定を図った層積み用のゴムマット付き消波ブロック。
【考案の詳細な説明】
【考案の詳細な説明】
【技術分野】
【０００１】  本考案は、港湾及び漁港等における消波ブロック被覆防波堤及び海岸における消波ブロック被覆護岸に使用される消波ブロックに関するものである。
【背景技術】
【０００２】  従来の消波ブロック被覆防波堤及び消波ブロック被覆護岸は、消波ブロックを防波堤又は護岸の壁前面の下部基礎捨石の上に乱積み又は層積みしたものであった。なお、層積みの場合は２層までであった。
【考案が解決しようとする課題】
【０００３】  消波ブロックと防波堤又は護岸とが一体となって機能する消波ブロック被覆防波堤又は消波ブロック被覆護岸とする。このとき、防波堤又は護岸の水平部と消波ブロック、消波ブロックと消波ブロックとが安定的に定置されるように消波ブロックの下部にゴムマットを張り付けるものとする。なお、消波ブロックは幾層にも層積み出来るものとする。
【課題を解決するための手段】
【０００４】  水平版上に層積みできる消波ブロック１（図１）、さらにこの消波ブロック１と垂直版との隙間を埋めるために消波ブロック２（図４）を考案することにより、Ｌ型ブロックの水平部又は水平版上に層状に幾層にも積み上げることができる。積み上げたブロックがより安定を保つため、ブロックの下部にゴムマットを張り付ける。
【考案を実施するための最良の形態】
【０００５】  防波堤及び護岸において反射波の減少及び越波量縮小による天端高の低下を図るため、消波ブロック被覆防波堤及び消波ブロック被覆護岸が使用されたいる。従来の消波ブロック被覆防波堤及び消波ブロック被覆護岸として作用するものである。
【実施例１】
【０００６】  図８のようにＬ型ブロック３の水平部の上に消波ブロック１及び消波ブロック２を、その下部にゴムマットを張り付け安定を図り、整積みし、消波ブロック被覆防波堤や消波ブロック被覆護岸として利用するものである。
【実施例２】
【０００７】  図９のように水平版１の上に消波ブロック１を整積みし、消波ブロック被覆防波堤として利用するものである。
【考案の効果】
【０００８】  消波ブロックが、防波堤や護岸に作用する横方向波力に抵抗する摩擦力を増す重量として作用する。従って、従来の消波ブロック被覆防波堤や消波ブロック被覆護岸と全く同じ機能を有しながら、安価にすることができる。なを、消波ブロックの下部にゴムマットを張り付けることにより、安定性が増大する。又新考案の消波ブロックは整然と層積みできるので美観
に優れている。
【図面の簡単な説明】
【図１】    本考案の消波ブロック１の斜視図
【図２】    本考案のゴムマットの斜視図
【図３】    本考案の消波ブロック１の平面図
【図４】    本考案のゴムマットの平面図
【図５】    本考案の消波ブロック１の正面図
【図６】    本考案のゴムマットの正面図
【図７】    本考案の消波ブロック２の斜視図
【図８】    本考案の消波ブロック２の平面図
【図９】    本考案の消波ブロック２の正面図
【図１０】    本考案の消波ブロック２の側面図
【図１１】    本考案の第１の利用例を示す斜視図
【図１２】    本考案の第２の利用例を示す斜視図
【符号の説明】
１は消波ブロック１
２は消波ブロック２
３はＬ型ブロック
４は水平版
【図１】
0003104474.tif 000003
【図２】
0003104474.tif 000004
【図３】
0003104474.tif 000005
【図４】
0003104474.tif 000006
【図５】
0003104474.tif 000007
【図６】
0003104474.tif 000008
【図７】
0003104474.tif 000009
【図８】
0003104474.tif 000010
【図９】
0003104474.tif 000011
【図１０】
0003104474.tif 000012
【図１１】
0003104474.tif 000013
【図１２】
0003104474.tif 000014
(57)【要約】【課題】伝票の仕分け、出し入れがしやすい整理箱。【解決手段】整理箱の底面を前面から背面に向かって上向きに勾配をつけたものにする。【選択図】図１
0003104420.tif 000002
【実用新案登録請求の範囲】
【請求項１】
長方形の仕切りのついた伝票整理箱において、机上に水平に密着している底は、手前は机に密着し後方へ向かって上向きに勾配をつけて斜めにし、側面の板を勾配をつけた底面に対して前面、背面の内側の高さが同じになるように背面との接触側を引き伸ばして、前後の長さを違えた伝票整理箱。
【考案の詳細な説明】
【技術分野】
【０００１】  本考案は底面に勾配をつけ、背面を持ち上げることで、伝票を正確に区分けしながら入れやすくすることに関したものである。
【背景技術】
【０００２】  従来の伝票整理箱は長方形の立方体であるので、伝票を区分けするのは可能であるが、効率が悪かった。
【考案の開示】
【考案が解決しようとする課題】
【０００３】  従来から一般事務において使用されている伝票整理箱は、そのほとんどが単に長方形の箱状のものに任意に仕切りをつけたものである。しかし、それは、伝票を区分けしておくには適当であるとしても事務処理後の伝票を投入する作業者にとっては、そのたび毎に、姿勢を変えねばならず、むしろ、作業を中断させることになり、大量、多種の伝票を区分けすることが負担になり、おろそかになりがちになるという欠点があった。
【課題を解決するための手段】
【０００４】  長方形の仕切りのついた伝票整理箱において、水平に机上に密着している底の後方部分を上向きに勾配をつけて斜めにする。また、側面の板も斜めになった底面にあわせ、内部の壁面が前後同じになるように前後の長さを違えた伝票整理箱。
【考案の効果】
【０００５】  机上での伝票処理を伴う事務は、おおむね何人かの事務員の連携によってすすめられるが、このように箱の底が、斜めになっていると、当事者は、処理後の仕分けが速やかに行われ、また次の作業者がその伝票を取り出すのも容易である。たとえば金融機関など、時間に制約のある職種において、多種、多量の伝票を限られた時間内に検印し、なおかつ、事故があればその原因を速やかに発見しなければならない時、伝票の区分けは、後回しにできない作業であるが、事務処理をしながら区分けするのは、作業が寸断され正確に行うのが負担である。この箱を使用すれば、椅子に座したまま片手を動かすだけで、伝票の区分けが作業の流れに組み込まれ、担当係りとの連携もすみやかにおこなわれる。
【考案を実施するための最良の形態】
【０００６】  本考案は、伝票を、入れやすく、また取り出しやすくするために、底に勾配をつけたもので、従来の整理箱の底を、取り外し、かわりに手前から背面に向かってたとえば４０度から５０度程度の角度をつけた底を新たに取り付ける。
【図面の簡単な説明】
【０００７】
【図１】  本考案を示した斜め透視図である。
【図２】  本考案の側面図である。
【符号の説明】
【０００８】    １  底面の後方部分が側面の板と接着している位置。
２  側面の板が後方部分において長くなっている位置。
【図１】
0003104420.tif 000003
【図２】
0003104420.tif 000004
(57)【要約】【課題】網に入った魚を逃がさずに救い上げられる、掬網。【解決手段】網の内側に、網で作ったえさを入れるための袋を取り付ける。【選択図】図１
0003104419.tif 000002
【実用新案登録請求の範囲】
【請求項１】
網の内側に小さな袋状の網を紐で吊り下げるように取り付け、えさが流れ出さないようにした、掬網。
【考案の詳細な説明】
【技術分野】
【０００１】  本考案は網の内側に小さな袋状の網を紐で自由に動くように取り付け、えさを逃さず魚釣りができるようにした、掬網である。
【背景技術】
【０００２】  従来の掬網は、釣りあげた魚を掬うための網である。
【考案の開示】
【考案が解決しようとする課題】
【０００３】  従来の、掬網を使用して魚を取って楽しむとき、水中に沈めた網に入った泳いでいる魚を逃がさないように、網を引き上げる事は難しかった。
【課題を解決するための手段】
【０００４】  網の内側に小さな袋状の網を紐で吊り下げるように取り付け、えさが流れ出さないようにした、掬網。
【考案の効果】
【０００５】  従来の、掬網は、釣った魚を掬うことを主な目的にしているので、たとえば磯や、川の浅瀬にいる小魚を、目にしても掬い取る事は容易ではない。たとえ一時は網の中に入っても網を持ち上げると同時に魚は逃げてしまう。
本考案は、それを解決するため、水中に沈めた網から餌が流れ出さないように紐のついたえさ袋を網の内側に取り付け、網を持ち上げても、えさに食いついた魚が逃げないようにした。
【考案を実施するための最良の形態】
【０００６】  本考案は、掬網の網の内側に底から網の高さを超えない長さの紐を付け、その先に、掬網と同様の網で作った小さな袋を取り付ける。その中にはパンや麩など水を含むと浮き上がるようなものをえさとして入れると良い。掬網を水中でかたむけると魚がえさに食いつき、そのまますぐに網を引き上げれば簡単に魚が釣れる。
【図面の簡単な説明】
【０００７】
【図１】  本考案を上から見た図である。
【図２】  本考案の側面図である。内部の紐を伸ばした状態である。
【図１】
0003104419.tif 000003
【図２】
0003104419.tif 000004
(57)【要約】【課題】洗浄剤を別途塗布することなく頑固な油汚れを落とす拭き取り用清掃具を提供することである。【解決手段】メラミン系樹脂発泡体からなる拭き取り用清掃具１０の一面に洗浄剤を含浸させ、拭き取り部１１としたのである。【選択図】図１
0003104412.tif 000002
【実用新案登録請求の範囲】
【請求項１】
メラミン系樹脂発泡体を素材とした略多面体からなる拭き取り用清掃具において、前記略多面体の少なくとも一面に洗浄剤を含浸させたことを特徴とする拭き取り用清掃具。
【請求項２】
前記洗浄剤を前記略多面体の表面から約１〜３mmの深さまで含浸させた請求項１に記載の拭き取り用清掃具。
【考案の詳細な説明】
【技術分野】
【０００１】
この考案は物品の表面に付着した汚れを拭き取るのに用いる清掃具に関する。
【背景技術】
【０００２】
従来、物品の汚れを拭き取る清掃具として雑巾等が用いられている。しかし、これらは強く付着した汚れについては効果を発揮しない問題がある。
【０００３】
そこで、かかる場合にも十分な拭き取り効果を奏するものとして、特許文献１に記載されているようなメラミン系樹脂発泡体を素材とする拭き取り清掃具がある。
【特許文献１】特開平１１−１２８１３７号公報
【考案の開示】
【考案が解決しようとする課題】
【０００４】
しかし、上記したようなメラミン系樹脂発泡体を素材とするふき取り清掃具を用いた場合であっても、乾拭きあるいは水拭きのみで頑固な油汚れや頑固な水垢汚れや金属に付着した錆などを落とすのは困難であった。
【０００５】
そのため、頑固な油汚れや頑固な水垢汚れや金属に付着した錆などを落とすためには洗浄剤を用いることを要するが、拭き掃除のたびに洗浄剤を拭き取り用清掃具に塗布するのは面倒であるという問題があった。
【０００６】
そこでこの考案の課題は、別途洗浄剤を塗布することなく頑固な油汚れや頑固な水垢汚れや金属に付着した錆などを落とす拭き取り用清掃具を提供することにある。
【課題を解決するための手段】
【０００７】
上記の課題を解決するため、この考案ではメラミン系樹脂発泡材を素材とする略多面体からなる拭き取り用清掃具において、略多面体の表面に洗浄剤を含浸させたことを特徴とする。なお略多面体とは多面体のほか、多面体の角が丸く形成されているものも含む概念である。
【０００８】
また、上記洗浄剤の拭き取り用清掃具の表面に対する含浸の深さは約１〜３mmとすることが好ましい。
【考案の効果】
【０００９】
以上のように、この考案にかかる清掃具は、メラミン系樹脂発泡体を素材とする略多面体からなる拭き取り用清掃具の少なくとも一面に洗浄剤を含浸させることにより、洗浄剤を別途塗布することなく頑固な油汚れやがんこな水垢による汚れや金属に付着した錆などを容易に落とすことができる。
【００１０】
また、洗浄剤の含浸の深さを表面から１〜３mmとすることで十分な洗浄効果を奏することができる。
【考案を実施するための最良の形態】
【００１１】
以下図面を参照してこの考案の実施形態を説明する。図１はこの考案の実施形態にかかる拭き取り用清掃具１０の斜視図である。
【００１２】
図１に示すように、拭き取り用清掃具１０は、人の手に洗浄剤が付着しないように直方体の一面にあたる拭き取り部１１にだけ洗浄剤が含浸されている。なお、この実施形態における拭き取り用清掃具１０の形態は直方体としたが、その他の多面体であってもよい。その場合には把持部１２を除いて二面以上に洗浄剤を含浸させることも可能である。
【００１３】
清掃の際には、拭き取り用清掃具１０に水を含ませ把持部１２を手でもち、被清掃物品の表面に拭き取り部１１を当てて汚れを拭き取る。このとき拭き取り部１１に含浸されている洗浄剤により油汚れ、水垢汚れ、錆などを拭き取ることが容易となる。また、メラミン系樹脂発泡体はウレタン系その他の発泡体に比べて非常にもろく、拭き取りの際の摩擦により表面が剥離し、それが研磨剤のような役割をするためより一層の洗浄効果が期待できる。
【００１４】
洗浄剤としては、汚れの種類によって弱アルカリ性や弱酸性のものを用いることが好ましい。弱アルカリ性洗浄剤としてはたとえば研磨剤、アルキルベンゼンスルホン酸塩、アルキルアミンオキシドなどの界面活性剤、pH調整剤、キレート剤を混合したものがあり、弱酸性洗浄剤としてはたとえば研磨剤、アルキルエーテル硫酸エステル塩、ポリオキシエチレンアルキルエーテルなどの界面活性剤、pH調整剤、キレート剤を混合したものがある。
前者は油汚れや水垢汚れ落としに好適であり、後者は錆やくもり落としに好適である。
【００１５】
含浸は拭き取り部１１の表面から約１〜３mm程度であることが望ましい。
【図面の簡単な説明】
【００１６】
【図１】この考案の実施形態にかかる拭き取り用清掃具の斜視図
【符号の説明】
【００１７】
１０  拭き取り用清掃具
１１  拭き取り部
１２  把持部
【図１】
0003104412.tif 000003
(57)【要約】【目的】  鉛筆等で記載した文字等を消すために用いる消しゴムを汚れなどから保護するために用いるホルダーについて、単に保護するだけでなく娯楽的要素も兼ね備えた新規製品を提案すること。【構成】  消しゴム４を被包して保護するケースであって、上面部２を開くと折畳んで平面的に収納されていた平面部材３が立ち上がり３次元的な状景が出現し、上面部２を閉じると平面部材３が再び折畳まれて平面的に収容され、該平面的収容状態を維持するストッパー機構８が備えられている立体的状景が飛び出す消しゴムホルダー１。【選択図】      図１
0003104414.tif 000002
【実用新案登録請求の範囲】
【請求項１】
消しゴムを被包して保護するケースであって、上面部を開くと折畳んで平面的に収納されていた平面部材が立ち上がり3次元的な状景が出現し、上面部を閉じると平面部材が再び折畳まれて平面的に収容され、該平面的収容状態を維持するストッパー機構が備えられていることを特徴とする立体的状景が飛び出す消しゴムホルダー。
【考案の詳細な説明】
【技術分野】
【０００１】
本考案は、鉛筆やシャープペンシルで記載した文字等を消すために用いる消しゴムを汚れ等から保護するためのホルダーについて、単に保護するだけでなく娯楽的要素をも兼ね備えたものとする新製品に関するものである。
【背景技術】
【０００２】
消しゴムはそのままでは表面が汚れてしまい、それにより字を消す際に不都合が生じることから、不使用時にはホルダーに収容して保管しておくことが通常である。
【０００３】
このような消しゴムホルダーは、その外面に文字や色彩、模様や各種キャラクター表示を施して商品名を示したりイメージキャラクターの如きを表示し、他社の製品と区別を図るようなことが行われている。
【０００４】
しかし、一般に市販されている消しゴムについては、そのホルダーは色彩や模様等によって若干の美的処理がなされているにしても基本的には消しゴムを収容して保護する以外の機能は果たしていない。
【０００５】
消しゴムホルダーに収容保護以外の機能を付加する提案としては以下の文献に示すような提案がなされている。
【特許文献１】実開平８−４３３８５号公報
【考案の開示】
【考案が解決しようとする課題】
【０００６】
上記したような既存の消しゴムホルダーでは、単に消しゴムを収容して汚れから保護するだけであり、多様化する購入者の興味を惹いて購買意欲を掻き立てるような商品展開は困難である。特許文献のものにおいても、筆記用具と結合しブラシなどと組合わせた消しゴムホルダーを示してはいるが、需要者の美観や趣味性に訴えたり意外性のある商品展開を可能とするようなことには関連性がない。
【課題を解決するための手段】
【０００７】
本考案は、従来既存の消しゴムホルダーにおいて意識されてこなかった趣味性を満たしたり、意外性を感じさせる新提案を行うものであって、具体的には以下のとおりである。
【０００８】
（１）消しゴムを被包して保護するケースであって、上面部を開くと折畳んで平面的に収納されていた平面部材が立ち上がり３次元的な状景が出現し、上面部を閉じると平面部材が再び折畳まれて平面的に収容され、該平面的収容状態を維持するストッパー機構が備えられていることを特徴とする立体的状景が飛び出す消しゴムホルダー。
【実施例】
【０００９】
このような本考案の具体的な実施例の若干を、添付図面に従って説明する。
図１は、本考案による消しゴムホルダー１についてその上面部２を開いて畳込み収容されていた平面部材３が立ち上がり、これによって３次元的状景が出現した状態を示している。
【００１０】
すなわち、本考案の消しゴムホルダー１は、消しゴム４を収容している通常の消しゴムホルダーと同様の構成のものに対して、ホルダー上面５の１周縁において連結された上面部２を設け、該ホルダー上面５と上面部２との間に平面部材３を接着したものであるが、この平面部材３の接着に関しては、上面部２を開くとその状態において所望の立体的状景が出現できるように所定箇所における接着を行い、さらに上面部２を閉じる場合には、平面部材３が平坦化されて収容できるように適切な折り目６を施しておくものである。
【００１１】
上面部２をどのくらい開いた場合に最も適切な立体的状景が出現するようにするかは、所定箇所における接着の仕方で自在に調整することが可能である。すなわち、図１（ａ）は上面部２を約９０度開いた場合に適切な立体的状景が出現し、図１（ｂ）は略１８０度開いた場合に最適な立体的状景が出現するように調整された場合を示しているものである。
【００１２】
このような畳込まれた平面部材３が上面部２を開くことにより適宜に３次元的な立体的状景として出現される構成関係は、所謂「飛び出す絵本」や「飛び出すグリーティングカード」として採用されているところと実質的に同じである。本考案ではこれを消しゴムホルダー１に採用することで、従来の既存品にはない新たな娯楽性を追加したものである。
【００１３】
また、消しゴム４を本考案の消しゴムホルダー１に収容した状態で使用する場合には、図２に示すように上面部２が閉ざされて平面部材３がきちんと折畳まれて平坦状として収納された状態が維持されている必要がある。消しゴム４を使用している最中に立体的状景が出現すると不都合だからである。
【００１４】
このため、本考案においては上面部２が閉じた状態をしっかりと保持するために図示のような突出片６を上面部２の端部の形成し、その受入切込み部７をホルダー上面５の然るべき箇所に設け、これらによるストッパー機構８により上面部２の閉鎖状態を適切に維持できるように工夫しているものである。
【００１５】
立体的状景を形成する平面部材３については、適宜な色彩や模様を施すべきであり、また、複数を組合わせるものとしても良い。さらに、適宜なキャラクター形状を利用したり、適当な可動部分を設けてより娯楽性を高めることも可能である。
【００１６】
以上説明したように本考案の消しゴムホルダーによれば、従来製品とは発想が異なり意外性のある新規な製品を提案することが可能であり、市場に新たな需要を喚起するものとして産業上の利用可能性において優れた考案となっている。
【図面の簡単な説明】
【００１７】
【図１】本考案による消しゴムホルダーで上面部を開いて出現させる立体的状景の若干例を示した図面である。
【図２】本考案の消しゴムホルダーの上面部を閉じて消しゴムとして使用可能な状態にしている様子を示す図面です。
【符号の説明】
【００１８】
１    本考案による消しゴムホルダー
２    上面部
３    平面部材
４    消しゴム
５    消しゴムホルダー上面
６    突出片
７    受入切込み部
８    ストッパー機構
【図１】
0003104414.tif 000003
【図２】
0003104414.tif 000004
(57)【要約】      （修正有）【課題】つる植物やらん等栽培における、省力化・植物への負担軽減・美観維持を図るため、従来の支柱である棒状支柱・トレリス・オベリスク等に替わる支柱開発。【解決手段】棒状支柱１に両腕様の長いビニールタイ２を数箇所付けることにより、植物の茎を直接ビニールタイで留めることなく、植物全体を長いビニールタイで一挙に抱きかかえ込み、ビニールタイの両側を縛って植物をコンパクトにまとめ支える。これにより課題を解決した。【選択図】図２
0003104417.tif 000002
【実用新案登録請求の範囲】
【請求項１】
園芸用棒状支柱に、あたかも両腕のような２本の長いビニールタイを、対象となる植物や支柱の長さに応じて何箇所かに付け、つる植物やらん等をその長いビニールタイで一挙に抱きかかえ込み、ビニールタイの両端を縛ることによって植物全体をコンパクトにまとめ支える、園芸用植物抱きかかえ支柱である。
【考案の詳細な説明】
【技術分野】
【０００１】  本考案は、園芸用棒状支柱に、あたかも両腕のような２本の長いビニールタイを、対象となる植物や支柱の長さに応じて何箇所かに付けた、園芸用支柱に関するものである。
【背景技術】
【０００２】    従来、つる植物やらん等は棒状支柱を立てて所々を短いビニールタイで留めたり、トレリスやオベリスク等に誘引して、ビニールタイで留めていた。
【考案の開示】
【考案が解決しようとする課題】
【０００３】  モッコウバラやクレマチス等のつる植物をトレリスやオベリスク等に誘引するには、仕立てるのに労力や時間がかかり場所も取った。また、剪定後の仕立て直しにも労力や時間がかかった。
一方、デンドロビウム等のらんは、今まで、バルブ１本づつに棒状支柱を立てビニールタイで留め、労力や時間がかかると共に美観も損ない、植物の茎に直接ビニールタイを巻くため、成長に伴ってバルブにビニールタイが食い込むという植物への負担もあった。
このような栽培の問題点を解決し、栽培の省力化と植物への負担軽減、美観維持を意図して考案したものである。
【課題を解決するための手段】
【０００４】  園芸用棒状支柱に、あたかも両腕のような２本の長いビニールタイを数箇所付け、つる植物やらん等をその長いビニールタイで一挙に抱きかかえ込み、ビニールタイの両端を縛って植物全体をコンパクトにまとめることで問題点を解決している。
【考案の効果】
【０００５】  上述のように、本考案の園芸用植物抱きかかえ支柱で植物全体を一挙に抱きかかえ込み、ビニールタイの両端を縛るだけでコンパクトにまとめることが出来、仕立て直しはビニールタイの両端をほどいて、剪定後、また両端を縛れば良いので、栽培の省力化が図られる。植物の茎に直接ビニールタイを巻く必要もないため、茎にビニールタイが食い込むというトラブルもなく植物への負担を軽減している。また、茎に１本づつ棒状支柱を立てる必要もないため美観も損なわない。
【考案を実施するための最良の形態】
【０００６】  両腕様のビニールタイの付いた棒状支柱を安定するまで土に刺して埋め込み、地上部の植物全体を長いビニールタイで一挙に抱きかかえ込み、ビニールタイの両端を植物の量に応じてきつくもなくゆるくもなく縛る。
【図面の簡単な説明】
【０００７】
【図１】本考案の園芸用植物抱きかかえ支柱の正面図である。
【図２】本考案の園芸用植物抱きかかえ支柱の実施例を示す図である。
【符号の説明】
【０００８】  １  棒状支柱
２  ビニールタイ
長さ・本数は植物の種類・支柱の長さによる。
３  土
４  つる植物
【図１】
0003104417.tif 000003
【図２】
0003104417.tif 000004
(57)【要約】      （修正有）【課題】側溝上面に設けたスリット部の欠けやスリット状のグレーチングを取り付けた側溝のスリット部の土砂詰まりを防止する集排水保護板を提供する。【解決手段】本考案は、樹脂あるいはステンレス製で一断面が逆Ｌ字型で細長のスリット状に形成された保護板１であって、スリット幅２が端面で１３〜１５ｍｍの範囲内であって中央部にいくに従って徐々に広くなり、保護板の周囲に断面が略円形で帯状に抜け防止突起が突出しており、道路用暗渠の上面又は側溝蓋の上面に埋設したことを特徴とする集排水保護板である。【選択図】図１
0003104418.tif 000002
【実用新案登録請求の範囲】
【請求項１】
樹脂あるいはステンレス製で一断面が逆Ｌ字型で細長のスリット状に形成された保護板であって、スリット幅が端面で１３〜１５ｍｍの範囲内であって中央部にいくに従って徐々に広くなり、保護板の周囲に断面が略円形で帯状に抜け防止突起が突出しており、道路用暗渠の上面又は側溝蓋の上面に埋設したことを特徴とする集排水保護板。
【考案の詳細な説明】
【技術分野】
【０００１】  本考案は、コンクリート製の暗渠型側溝や側溝蓋の上面より雨水を集排水するスリットを保護する保護板に関するものである。
【背景技術】
【０００２】  従来のコンクリート製の暗渠側溝や側溝蓋の上面には、雨水を集排水するために直接スリット溝を設けたり、樹脂製のスリット状グレーチングを埋め込んだ側溝がある。
【特許文献１】特開２００１−３１７１１５
【考案の開示】
【考案が解決しようとする課題】
【０００３】  直接スリットを設けた側溝の場合、車両の通過時に欠けやすいという欠点があった。また、スリット状のグレーチングを取り付けた側溝のスリット溝幅は１３〜１５ｍｍの範囲内が一般的であり、１５ｍｍを超える小石はその溝に引っ掛かりその部分より土砂が詰まりやすくなり、時間が経つにつれスリット部が土砂で詰まり集排水機能を低下させていた。
【課題を解決するための手段】
【０００４】  本考案は、樹脂あるいはステンレス製で一断面が逆Ｌ字型で細長のスリット状に形成された保護板であって、スリット幅が端面で１３〜１５ｍｍの範囲内であって中央部にいくに従って徐々に広くなり、保護板の周囲に断面が略円形で帯状に抜け防止突起が突出しており、道路用暗渠の上面又は側溝蓋の上面に埋設したことを特徴とする集排水保護板である。
【考案の効果】
【０００５】  本考案によれば、集排水保護板を埋設したためスリット部の欠けがなくなった。従来の溝幅より少し大きめの小石が側溝内へ流れ込むことによってスリット溝の詰まりが無くなり集排水機能が維持できるようになった。
【考案を実施するための最良の形態】
【０００６】  以下、本考案の集排水保護板を埋設した道路用側溝を図示の実施例に従って説明する。【０００７】  図１から図３に示すように、側溝１１の上面１２の中央部に長さ方向に間隔をおいて集排水保護板１を埋設してある。集排水保護板１は、工場で側溝を製造する時点で埋設しておく。また現場打ちでの側溝上面打設時に同時施工をすることも可能である。【０００８】  図４から図６に示すように、集排水保護板１はスリット状に形成されスリット幅が端面５で１５ｍｍであり中央部６ではこれより広くしてある。集排水保護板１の周囲には抜け防止突起４が帯状に設けてありコンクリート内に埋め込んで抜けない構造となっている。【０００９】  雨水と一緒に流れてきた１５〜１７ｍｍ程度の小石３がスリット上に流れ込み、集排水保護板１の端面５ではスリット幅と小石３の径が同じなのでスリット部から側溝内へ流れ込まないがスリット幅が中央部６にいくにしたがって徐々に広くなっているので小石３の径よりスリット幅が広くなったところで小石３が側溝内へ流れ込む。【００１０】  図７では側溝蓋２１に集排水保護板１を埋設した例を示す。【００１１】  集排水保護板１の材質は、樹脂やステンレス製としたが鋳物や鉄製でもよい。またスリット幅を端面５で１５ｍｍで中央部６では２０ｍｍ位が望ましいが現場状況に応じて適宜変更することもできる。
【図面の簡単な説明】
【００１２】
【図１】本考案の集排水保護板を取り付けた側溝の平面図である。
【図２】本考案の集排水保護板を取り付けた側溝の側面図である。
【図３】本考案の集排水保護板を取り付けた側溝の断面図である。
【図４】集排水保護板の拡大平面図である。
【図５】集排水保護板の拡大側面図である。
【図６】図４に示した集排水保護板のＡ−Ａ断面図である。
【図７】集排水保護板を取り付けた側溝蓋の斜視図である。
【符号の説明】
【００１３】１    保護板
２    スリット
３    小石
４    抜け防止突起
５    端面
６    中央部
１１  側溝
１２  上面
２１  蓋
【図１】
0003104418.tif 000003
【図２】
0003104418.tif 000004
【図３】
0003104418.tif 000005
【図４】
0003104418.tif 000006
【図５】
0003104418.tif 000007
【図６】
0003104418.tif 000008
【図７】
0003104418.tif 000009
(57)【要約】【課題】  ペットとしている犬、猫等の毛を利用して、小型の筆や球状体を作成し、これをアクセサリーとしてストラップに装着することにより、常に、ペットと一体に過ごすことのできるペットの毛で作成したストラップを開発・提供することにある。【解決手段】  ひも（１）の先端に、携帯電話機の縦寸法程度の長さを有する軸（２）を設け、該軸（２）の先に、ペットの毛で作成した穂先（３）を設けたことを特徴とするペットの毛で作成した筆や、ペットの毛を用いた球状体（５）のアクセサリー付きストラップから構成される。【選択図】        図１
0003104483.tif 000002
【実用新案登録請求の範囲】
【請求項１】
ひも（１）の先端に、携帯電話機の縦寸法程度の長さの軸（２）にペットの毛で作成した穂先（３）を有する筆をアクセサリーとして設けたことを特徴とするペットの毛を用いたストラップ。
【請求項２】
ひも（１）の先端に、ペットの毛で作成した球状体（５）をアクセサリーとして設けたたことを特徴とするペットの毛を用いたストラップ。
【考案の詳細な説明】
【技術分野】
【０００１】
この考案は、ペットの毛を用いたストラップに関するものである。
【背景技術】
【０００２】
従来、携帯電話、財布や小銭入れ等に装着するストラップには、森羅万障、すべてのものが先端に設けられていると言っても過言でない。
【０００３】
しかし、ストラップに装着するアクセサリーは、単なる，飾りだけではなく、そのアクセサリーに他の機能を持たせたものがある。例えば、特許文献１のように缶のプルトップを開けたり、ペットボトルのキャップを開ける機能を有するものがある。
【特許文献１】特開２００３−２５０６２４号公報
【０００４】
また、近年、ペットブームが続き、ペットとして飼われている犬や猫等の毛が、抜けたり、季節によっては、毛が生えかわるために、抜け落ちる場合があった。
【０００５】
さらに、まれには、長年、可愛がっていたペットが死んでしまうこともあり、ビデオテープや写真以外にも、常日頃、ペットの遺品の一部を持ち歩きたいと望む場合もある。
【考案の開示】
【考案が解決しようとする課題】
【０００６】
そこで、この考案は、ペットとしている犬、猫等の毛を利用して、小型の筆や、球状体等のアクセサリーを作成し、これをストラップに装着することにより、常に、ペットと一体に過ごすことのできるペットの毛を用いたストラップを開発・提供することにある。
【課題を解決するための手段】
【０００７】
この考案は、ひもの先端に、携帯電話機の縦寸法程度の長さを有する軸を設け、該軸の先に、ペットの毛で作成した穂先を設けたことを特徴とするペットの毛で作成した小筆や、ペットの毛で作成した球状体をアクセサリーとしたストラップである。
【考案の効果】
【０００８】
本考案によると、ストラップに、ペットとしている犬や猫等の毛で構成した穂先を有する小型の筆を装着することにより、緊急の際の書面に字を書いたり、また、化粧筆としても利用できるという効果を奏するものである。
【０００９】
また、実際、ペットとしている犬や猫等の毛で構成した筆や球状体であり、常に、これらを身近にある携帯電話に装着することにより、穂先や球状体に触ることにより、ペットと離れていても臨場感を覚えさせるものであり、特に、死んだペットであれば、遺影以上の極めて有益な効果を奏するものである。
【考案を実施するための最良の形態】
【００１０】
この考案は、ひも（１）の先端に、携帯電話機（図示せず）の縦寸法程度の長さを有する軸（２）を設け、該軸（２）の先に、ペットの毛で作成した穂先（３）を設けたことを特徴とするペットの毛で作成した筆や、ペットの毛で作成した球状体（５）をアクセサリーとしたストラップから構成される。
【実施例】
【００１１】
次に、この考案の一実施例を図面に従って詳述すると、ひも（１）は、先端をループ状に形成したものであればよく、末端には羽織の紐状に編んだものであってもよい。そして、軸（２）の長さは、携帯電話機（図示せず）の縦寸法程度であり、携帯電話には折り畳みのできないものや、二つに折り畳むことのできる機種もあり、それぞれの機種に応じた縦寸法の長さに合ったものを設けるものである。
【００１２】
そして、軸（２）は、竹材、あるいは合成樹脂製の筒状体であって、該軸（２）は、ひも（１）と直接、あるいは、竹ビーズ（４）等を介して連結されている。
【００１３】
そして、穂先（３）は、ペットとして飼っている犬、猫等の毛を集め、束ねて穂先を構成するものであり、その穂先の長さや穂先の形状等は、特に問わないものである。
【００１４】
さらに、ペットの毛で作成した球状体（５）は、大きさは特に問わない。
【産業上の利用可能性】
【００１５】
この考案は、ペットの毛で作成した筆や、球状体等のアクセサリー付きストラップの製造技術を確立し、かつこれら材料の使用により、ペット業界等に寄与する点で、産業上の利用可能性を有する。
【図面の簡単な説明】
【００１６】
【図１】この考案の一実施例を示す正面図である。
【図２】この考案の他の実施例を示す正面図である。
【符号の説明】
【００１７】
１  ひも
２  軸
３  穂先
４  竹ビーズ
５  球状体
【図１】
0003104483.tif 000003
【図２】
0003104483.tif 000004
(57)【要約】【課題】従来のものは天板が固定の為大スペースの物を整理収納する時も小スペースの物を整理収納する時も同じ大スペースが必要である。【解決手段】天板を左右に分割しスライド構造としパイプのスライド接続部品により内外に伸縮スライドすることを可能にした。【選択図】    図４
0003104451.tif 000002
【実用新案登録請求の範囲】
【請求項１】
左フレームと右フレームの間に左天板と右天板及び左パイプと右パイプが有り各々前記左フレーム及び前記右フレームと接続固定しパイプのスライド接続部品により内外に伸縮させ前記左天板と前記右天板及び前記左パイプと前記右パイプがスライド伸縮するラック。
【考案の詳細な説明】
【技術分野】
【０００１】本考案は収納の分野でラジカセ、オーディオ等やカセットテープやＣＤ等を整理収納する時に利用するラックに関するものである。
【背景技術】
【０００２】従来からラジカセやオーディオ等を整理収納するラックがあった。
【考案の開示】
【考案が解決しようとする課題】
【０００３】１  従来の物はラジカセやオーディオ等を整理収納する時に巾が固定の為大スペースの物を整理収納する時も小スペースの物を整理収納する時も同じ大スペースが必要である。
２  小スペースの物を整理収納する時には従来固定であった天板をパイプのスライド接続部品により内側にスライド伸縮させる事により従来の約５０％のスペースで整理収納する事ができる。
【課題を解決するための手段】
【０００４】従来の物は天板が固定の為大スペースの物を整理収納する時も小スペースの物を整理収納する時も同じ大スペースが必要である。
本考案はパイプのスライド接続部品によりパイプ及び天板を内外にスライド伸縮する事により小スペースの物を整理収納する時には従来の約５０％のスペースで整理収納する事が可能になる。
本考案はこれ等の問題点を解決する為に考案された物である。
【考案の効果】
【０００５】リビングや机上等でラジカセ等小スペースの物を整理収納する時には天板を内側にスライド伸縮させる事により小スペースで整理収納できる。
【考案を実施するための最良の形態】
【０００６】図１  正面図
図２  左側面図
図３  右側面図
図１〜３の符号【０００７】        １  左フレーム【０００８】        ２  右フレーム【０００９】        ３  左天板【００１０】        ４  右天板【００１１】        ５  左パイプ【００１２】        ６  右パイプ【００１３】        ７  スライド接続部品
図４  従来の物及び本考案の物
図中の符号１及び２で３及び４を接続している。
図中の符号５及び６を１及び２に接続し７で内外にスライド伸縮させる。
本考案は以上述べた実施例に限定されるものではない。
【図面の簡単な説明】
【００１４】      図１  正面図
図２  左側面図
図３  右側面図
図４  従来の物の図及び本考案の物の図
【符号の説明】
【００１５】１  左フレーム
２  右フレーム
３  左天板
４  右天板
５  左パイプ
６  右パイプ
７  スライド接続部品
【図１】
0003104451.tif 000003
【図２】
0003104451.tif 000004
【図３】
0003104451.tif 000005
【図４】
0003104451.tif 000006
(57)【要約】【課題】  本考案は、使用が利便であるとともに複雑な線模様を確実に表現できる実用性の高いゆで卵成形器を提供することを目的とする。【解決手段】  本考案は、任意形状の本体２及び蓋体３から成る器体１において、本体に設けた任意形態の下凹部４とこの下凹部と同形態で同深さを有する蓋体の上凹部５とが合致するように成り、前記下凹部又は上凹部のいずれか一方に嵌合する同形態の中子６を設け、前記蓋体を本体に開閉自在に連結するとともに掛止めし得るように成るものである。【選択図】    図１
0003104456.tif 000002
【実用新案登録請求の範囲】
【請求項１】
任意形状の本体及び蓋体から成る器体において、本体に設けた任意形態の下凹部とこの下凹部と同形態で同深さを有する蓋体の上凹部とが合致するように成り、前記下凹部又は上凹部のいずれか一方に嵌合する同形態の中子を設け、前記蓋体を本体に開閉自在に連結するとともに掛止めし得るように成ることを特徴とするゆで卵成形器。
【考案の詳細な説明】
【技術分野】
【０００１】
本考案は、ゆで卵の成形器に関するものである。
【背景技術】
【０００２】
従来、ゆで卵を特殊な形態に成形するための成形器は存したが、この成形器は構成態様がやや複雑であったり、また卵の大きさに合わせた成形が確実にできなかったり、取扱いに手数がかかったりして、使用上不便なものとなっていた。
【０００３】
また、例えば特開平６−２２８６８号のごとき発明が公開されているが、これはきわめて原始的な手段による成形具であり、実用性に乏しいものである。
【０００４】
【特許文献１】特開平６−２２８６８号公報
【考案の開示】
【考案が解決しようとする課題】
【０００５】
そこで、本考案は、このような使用上の不便さを一掃した使い易いかつ複雑な線模様を表現できるゆで卵の成形器を提供することを目的とするものである。
【課題を解決するための手段】
【０００６】
本考案は、任意形状の本体及び蓋体から成る器体において、本体に設けた任意形態の下凹部とこの下凹部と同形態で同深さを有する蓋体の上凹部とが合致するように成り、前記下凹部又は上凹部のいずれか一方に嵌合する同形態の中子を設け、前記蓋体を本体に開閉自在に連結するとともに掛止めし得るように成るものである。
【考案の効果】
【０００７】
第１に、ゆで卵を所望形態に成形するための取扱いを迅速かつ確実に行うことができるから、利便性が高い成形器となる。
【０００８】
第２に、卵が比較的小さい場合には中子を介在せしめて成形するものであるから、使用者にとってはきわめて利便性の良い成形器となっている。
【０００９】
第３に、本体側の下凹部と蓋体側の上凹部とは同等の深さを有するものであるから、ゆで卵全体にわたって下・上両凹部に形成した複雑な線模様などを確実に表現することができるようになる。したがって、ゆで卵全体は弾力性のある張りをもって成形されるようになる。
【考案を実施するための最良の形態】
【００１０】
いまゆで卵の大きさを見て、比較的小さいものの場合、中子を本体側の下凹部に嵌合した後、ゆで卵を中子上に置き、しかる後に蓋体を閉じ掛止子を本体の一側縁部に掛止めて、暫時そのままの状態を保持する。（図３参照）
【００１１】
また、比較的大きいものの場合は、ゆで卵を直接本体側の下凹部上に置き、しかる後に蓋体を閉じ掛止子を本体の一側縁部に掛止めて、暫時そのままの状態を保持する。（図４参照）
【００１２】
これらの作業は、すべて片手によるワンタッチで行うことになる。
【実施例】
【００１３】
全器体１は、任意形状の本体２と蓋体３とから構成する。
【００１４】
４は前記本体２に設けた任意形態の深さに成る下凹部である。
【００１５】
５は前記本体２の下凹部４と同形態の深さに成る蓋体３の上凹部で、この上凹部と前記下凹部とは両体の閉口時にはゆで卵をはさんで合致するように成る。この場合、ゆで卵の全体はその下半部分は本体の下凹部に，上半部分は蓋体の上凹部に分けて収容され成形される。
【００１６】
６は前記本体２の下凹部４及び前記蓋体３の上凹部５と同じ形態と深さを有する中子で、この中子は下凹部４又は上凹部５のいずれか一方に嵌合するように成る。
【００１７】
７は本体２と蓋体３との一側部を連結する蝶番で、この蝶番の反対側の蓋体一側部には掛止部８を設け、この掛止部は本体２の一側縁部２'に掛け止まるように成る。
【００１８】
前記器体において本体２の下凹部４と蓋体３の上凹部５の各形態は、図１ではソフトクリーム状のもの、図５ではカボチャ状のものである。
【００１９】
ａはゆで卵である。
【００２０】
なお、ゆで卵には鶏卵のみならず、うづら卵も含まれるが、うづら卵用の成形器にあっては、本体側の下凹部と蓋体側の上凹部との数は複数個に成る。
【図面の簡単な説明】
【００２１】
【図１】全体の関係を示した斜視図
【図２】成形時の全体の斜視図
【図３】図２Ａ−Ａ線部の断面図
【図４】他の使用例の図２Ａ−Ａ線部の断面図
【図５】他例の場合の全体の斜視図
【符号の説明】
【００２２】
２                本体
３                蓋体
４                下凹部
５                上凹部
６                中子
７                蝶番
８                掛止部
【図１】
0003104456.tif 000003
【図２】
0003104456.tif 000004
【図３】
0003104456.tif 000005
【図４】
0003104456.tif 000006
【図５】
0003104456.tif 000007